(57)【要約】【課題】従来技術の組合せと設計的事項により、玄関の扉が施錠されたときに自動的に窓や扉の施錠を行う方法が考えられる。そこで、玄関の扉が施錠されたときよりも人が居ない可能性が高いときに、自動的に窓や扉の施錠を行う。【解決手段】施錠信号により窓あるいは扉を施錠する施錠装置と、電話の留守番モードの設定操作を行う操作部と、該操作部により留守番モードに設定されたときに前記施錠装置に前記施錠信号を出力する制御手段を有する電話装置とを備える。【選択図】        図４
2004332455.tif 000002
【特許請求の範囲】
【請求項１】
施錠信号により窓あるいは扉を施錠する施錠装置と、
電話の留守番モードの設定操作を行う操作部と、該操作部により留守番モードに設定されたときに前記施錠装置に前記施錠信号を出力する制御手段を有する電話装置と、を備えたことを特徴とするセキュリティシステム。
【請求項２】
施錠信号により窓あるいは第１の扉を施錠する施錠装置と、第２の扉の開閉を検出する開閉検出手段と、
電話の留守番モードの設定操作を行う操作部と、該操作部により留守番モードに設定されたときに前記第２の扉が開かれると前記施錠装置に前記施錠信号を出力する制御手段を有する電話装置と、を備えたことを特徴とするセキュリティシステム。
【請求項３】
犯行に係る行為を検出する防犯センサと、
扉の施錠を検出する施錠検出手段と、
電話の留守番モードの設定操作を行う操作部と、前記扉が施錠されたとき、留守番モードであれば前記防犯センサが犯行を検出したことを予め設定された送信先に送信する外出警戒モードにする制御手段を有する電話装置と、を備えたことを特徴とするセキュリティシステム。
【請求項４】
犯行に係る行為を検出する防犯センサと、
電話の留守番モードの設定操作を行う操作部と、該操作部により留守番モードに設定された所定時間後に、前記防犯センサが犯行を検出したことを予め設定された送信先に送信する外出警戒モードにする制御手段を有する電話装置と、を備えたことを特徴とするセキュリティシステム。
【請求項５】
施錠信号により窓あるいは扉を施錠する施錠装置を有するセキュリティシステムの電話装置であって、
電話の留守番モードの設定操作を行う操作部と、該操作部により留守番モードに設定されたときに前記施錠装置に前記施錠信号を出力する制御手段を備えたことを特徴とするセキュリティシステムの電話装置。
【請求項６】
施錠信号により窓あるいは第１の扉を施錠する施錠装置と、第２の扉の開閉を検出する開閉検出手段を有するセキュリティシステムの電話装置であって、
電話の留守番モードの設定操作を行う操作部と、該操作部により留守番モードに設定されたときに前記第２の扉が開かれると前記施錠装置に前記施錠信号を出力する制御手段を備えたことを特徴とするセキュリティシステムの電話装置。
【請求項７】
犯行に係る行為を検出する防犯センサと、
扉の施錠を検出する施錠検出手段を有するセキュリティシステムの電話装置であって、
電話の留守番モードの設定操作を行う操作部と、前記扉が施錠されたとき、留守番モードであれば前記防犯センサが犯行を検出したことを予め設定された送信先に送信する外出警戒モードにする制御手段を備えたことを特徴とするセキュリティシステムの電話装置。
【請求項８】
犯行に係る行為を検出する防犯センサを有するセキュリティシステムの電話装置であって、
電話の留守番モードの設定操作を行う操作部と、該操作部により留守番モードに設定された所定時間後に、前記防犯センサが犯行を検出したことを予め設定された送信先に送信する外出警戒モードにする制御手段を備えたことを特徴とするセキュリティシステムの電話装置。
【発明の詳細な説明】
【０００１】
【発明の属する技術分野】
本発明は、電話の留守番モードの設定操作に基づいて留守時のセキュリティ動作を行うセキュリティシステム及びセキュリティシステムの電話装置に関する。
【０００２】
【従来の技術】
従来、留守時の戸締まりは、人が家の中の窓を施錠あるいは施錠確認して回り、最後に玄関ドアを閉めて出かけるといった人為的な作業が行われていた。そこで、施錠については、無線により窓用の電気錠を施錠するシステムが提案された（例えば、特許文献１参照。）。施錠確認については、窓の施錠解錠状態を無線で検知できるような構成が提案された（例えば、特許文献２参照。）。
【０００３】
また、留守時にはガス漏れ検知センサや急激な温度上昇や煙を検知する火災センサや人の動きを感知する人感センサの監視も必要である。これについては、玄関を施錠すると、各種のセンサの状態をドアホンに表示する構成が提案された（例えば、特許文献３参照。）。
【０００４】
外留守時のセキュリティとして、上述の提案を組み合わせることにより、玄関の施錠に基づいて、窓の施錠動作、その施錠の確認と各種センサの状態の確認を行う方法が考えられる。
【０００５】
【特許文献１】
特開２００２−３６４２１８号公報（第１頁）
【特許文献２】
特開平７−１３４７９０号公報（第１頁）
【特許文献３】
特開平１０−３０７９７６号公報（図１）
【０００６】
【発明が解決しようとする課題】
しかしながら、必ずしも留守時に玄関の施錠を行うものではなく、例えば、睡眠中の幼児を残して外出するときや、就寝の戸締りとして玄関を施錠するときや、居留守を装いたいときがある。このようなとき、セキュリティ状態になっては不都合な場合がある。例えば、換気のために開錠している窓により鳴動して幼児の睡眠を妨げたり、大人の昼寝のときに金庫部屋の人感センサが同居の幼児を検出して鳴動したり、予め設定された送信先に侵入者情報を送信したりすることがある。
【０００７】
このようなことから、人が居ない可能性がなるべく高いときに、自動的にセキュリティ状態にする方法が要望された。
【０００８】
【課題を解決するための手段】
本発明のセキュリティシステムはかかる点に鑑みなされたもので、施錠信号により窓あるいは扉を施錠する施錠装置と、
電話の留守番モードの設定操作を行う操作部と、該操作部により留守番モードに設定されたときに前記施錠装置に前記施錠信号を出力する制御手段を有する電話装置と、を備える。
【０００９】
これにより、人が居ない可能性が高いときに、自動的に窓や扉の施錠をおこなうことができる。
【００１０】
また、施錠信号により窓あるいは第１の扉を施錠する施錠装置と、第２の扉の開閉を検出する開閉検出手段と、
電話の留守番モードの設定操作を行う操作部と、該操作部により留守番モードに設定されたときに前記第２の扉が開かれると前記施錠装置に前記施錠信号を出力する制御手段を有する電話装置と、を備える。
【００１１】
これにより、人が居ない可能性が高いときに、自動的に窓や扉の施錠をおこなうことができる。
【００１２】
また、犯行に係る行為を検出する防犯センサと、
扉の施錠を検出する施錠検出手段と、
電話の留守番モードの設定操作を行う操作部と、前記扉が施錠されたとき、留守番モードであれば前記防犯センサが犯行を検出したことを予め設定された送信先に送信する外出警戒モードにする制御手段を有する電話装置と、を備える。
【００１３】
これにより、人が居ない可能性が高いときに、自出警戒モードにすることができる。
【００１４】
また、犯行に係る行為を検出する防犯センサと、
電話の留守番モードの設定操作を行う操作部と、該操作部により留守番モードに設定された所定時間後に、前記防犯センサが犯行を検出したことを予め設定された送信先に送信する外出警戒モードにする制御手段を有する電話装置と、を備える。
【００１５】
これにより、人が居ない可能性が高いときに、自出警戒モードにすることができる。
【００１６】
【発明の実施の形態】
本発明の実施の形態を図面に基づき説明する。図１は本実施例のセキュリティシステムの要部を示す図である。
【００１７】
セキュリティシステムは、各種のセンサ（１）として、台所と浴室に設置され、所定量以上のガスを検出するガスセンサと、台所、居間と子供部屋に設置され、火災を検出する火災センサと、金庫近傍に設置され、人の接近を検出する人感センサを有する。また、台所、居間、応接間と子供部屋の窓、及び勝手口の扉に取り付けられ、施錠信号の受信により施錠を行ったり、施錠状態の信号を無線で送信する電気錠（２）を有する。また、玄関の扉には施錠状態の信号を無線で送信する施錠検出部（３）と、開閉の状態の信号を無線で送信する開閉検出部（４）を有する。そして、前述のセンサや検出部と接続され、セキュリティの制御及び電話処理を行う電話装置（５）を有する。
【００１８】
図２は電話装置（５）の要部の構成を示すブロック図である。電話装置（５）は、電話回線に接続されるモジュラージャック（ＲＪ−１１）（１１）と、ハンドセット通話を行うハンドセット（１２）と、拡声通話を行うマイクロフォン（１３）やスピーカ（１４）と、通話や留守番電話などの電話処理を行うアナログ電話部（１５）を有する。また、コードレス電話子機と通信を行うアナログコードレス無線部（１６）を有する。また、前述のセンサ（１）、電気錠（２）、施錠検出部（３）や開閉検出部（４）と無線で通信するセンサ／検出部無線部（１７）と、セキュリティの制御と電話処理の制御を行う制御部（１８）と、制御部（１８）に接続されセキュリティや通話の操作や留守モードの操作を行う操作部（１９）と、制御部（１８）に接続されセキュリティや通話の表示を行う表示部（２０）を有する。尚、操作部（１９）は留守キー（図示せず。）を有する。留守キーは留守モードのトグルスイッチであり、操作されるたびに留守モードの設定と留守モードの解除を繰り返す。
【００１９】
図３は窓に設置される電気錠（２）の要部の構成を示すブロック図である。電気錠（２）は、駆動部（２１）により電気的に窓の施錠を行う鍵（２２）と、施錠状態を検出する施錠検出部（２３）と、電話装置（５）と無線通信により施錠状態を送信したり、施錠信号を受信する無線通信部（２４）と、施錠状態を表示する表示部（２５）と、施錠できなかったことを報知するスピーカ（２６）と、各部を制御する制御部（２７）を有する。
【００２０】
次にセキュリティシステムの動作を説明する。図４は電話装置（５）の制御部（１８）の動作を示すフローチャートであり、図５は電気錠（２）の制御部（２７）の動作を示すフローチャートである。図４において、Ａは留守モードか否かを示す変数であり、制御部（１８）のレジスタ（図示せず。）に記憶される。変数Ａ＝０のときは留守モードでないことを示し、変数Ａ＝１のときは留守モードであることを示す。初期は変数Ａ＝０である（Ｓ１）。
【００２１】
制御部（１８）は留守キーが操作されたか（Ｓ２）、玄関の扉が開かれたか（Ｓ１０）、玄関の扉が施錠されたか（Ｓ１６）を監視する。
【００２２】
留守キーが操作され（Ｓ２のＹ）、そのときに留守モードでなければ（Ｓ３のＹ）、変数Ａを１にする（Ｓ４）。そして、電話装置（５）を留守モードにする（Ｓ５）。留守モードになれば、着信があったときに応答メッセージを発呼者に送信し、発呼者の声を録音したり、転送したりする。
【００２３】
そして、電話装置（５）の制御部（１８）は窓や勝手口の電気錠（２）に無線で施錠要求信号を送信させる。各電気錠（２）の制御部（２７）は、図５に示す如く、施錠要求信号を受信すると（Ｓ３２）、施錠の駆動を行う（Ｓ３３）（特許文献１参照）。この駆動は錠のロック動作であり、窓や扉を閉める動作は行わない。したがって、窓や勝手口の扉が開いている状態であれば、これを閉じる動作を行わない為に施錠することができない。施錠の動作後、施錠できなければ（Ｓ３４のＮ）、スピーカ（２６）を鳴動させる（Ｓ３５）。施錠できたかどうかの情報を電話装置（５）に送信させる（Ｓ３６）（特許文献２参照）。
【００２４】
このように、電話装置（５）の留守モードを利用して、自動的に施錠とその確認を行うことができる。
【００２５】
電話装置（５）の制御部（１８）は、各電気錠（２）からの施錠状態の信号を全て受信すると（Ｓ７のＹ）、施錠できなかった電気錠（２）があった場合は（Ｓ８のＮ）、スピーカ（１４）を鳴動させると共に表示部に未施錠の電気錠（２）の番号（図６のＮｏ．）を表示する（Ｓ９）。
【００２６】
玄関の扉が閉まっている状態から開かれたとき（Ｓ１０のＹ）、留守モードであれば（Ｓ１１のＹ）、電話装置（５）の制御部（１８）は、ステップＳ６〜Ｓ９と同様に、施錠要求と施錠確認と未施錠の報知を行う（Ｓ１２〜Ｓ１５）。
【００２７】
これにより、留守モード移行時の施錠後に手動で開錠された電気錠を施錠することができる。
【００２８】
玄関の扉が未施錠の状態から施錠されたとき（Ｓ１６のＹ）、留守モードであれば（Ｓ１７のＹ）、電話装置（５）の制御部（１８）は、外出警戒モードにする。図６に示す如く、外出警戒モードであるか否かにより、報知方法が異なる。電話装置（５）の制御部（１８）が人感センサ（１）や各電気錠（２）の異常を検出したとき、外出警戒モードであれば、予め設定された送信先に異常状態である旨を電話で報知するが、外出警戒モードでなければ電話しない。電話装置（５）の制御部（１８）がガスセンサ（１）や火災センサ（１）の異常を検出したとき、外出警戒モードでなければ、スピーカ（１４）を鳴動させ、表示部（２０）に異常のセンサ番号（図６のＮｏ．）を表示させるが、外出警戒モードであれば、留守であるとみなして前記鳴動や表示を行わせない。このように集中管理機器である電話装置（５）は管理者不在として鳴動しないが、センサ（１）や電気錠（２）は近隣や犯人に報知するために鳴動する。この外出警戒モードの解除は、玄関の扉が開錠されたとき（Ｓ１６のＮ）や、留守キーの操作により留守モードが解除されたとき（Ｓ３のＮ）に行われる。
【００２９】
図４に示す如く、本発明は、玄関の扉が施錠されても、留守モードでなければ外出警戒モードにしない。これにより、玄関の扉を施錠しても外出警戒モードにしないことができる。例えば、玄関を施錠して昼寝をするときは、人感センサ（１）や一部の電気錠の開錠の送信を行わないようにすることができる（図６のＮｏ．６，７，１０参照）。眠っている幼児の換気の為に窓を開けて玄関の扉を施錠して外出するとき、開けた窓のために鳴動することがない（図６のＮｏ．７，１０参照）。尚、図６に示す如く（図４には示さない。）、非警戒モードのとき、制御部（１８）は玄関の開閉に応じて報知の方法を変える。例えば、非警戒モード状態で玄関を開錠しているときは、どの窓を開錠しても鳴動しないし、送信しない。玄関を施錠すれば、一部の窓を開錠したときに鳴動して送信する。
【００３０】
尚、留守モードに設定されたときに外出警戒モードにしてもよい。しかしながら、そうすると、玄関の扉の開錠や開放を検出して、留守モードにした瞬間に防犯の動作を行うことになる。このために、上述の実施例では、留守モード中に玄関の扉を施錠したときに外出警戒モードにした。他の方法として、図７に示す如く、留守モードに設定してから所定時間後に外出警戒モードにする方法がある。この所定時間の間に玄関の扉を施錠すればよい。
【００３１】
また、上述の電話装置とセンサや電気錠などの通信は無線であったが、有線でもよい。
【００３２】
また、上述の防犯センサは人の接近並びに窓や扉の開錠であったが、これに限定するものではなく、犯行に係る行為を検出するものであればよい。例えば、窓や扉の開放検出や夜間の光検出でもよい。
【００３３】
【発明の効果】
上述の如く、本願発明は、使用者が留守の意思表示を電話で行ったときに、自動的に窓や扉の施錠を行うことができる。また、外出警戒モードに移行することができる。このように、人が居ない可能性が高いときに、自動的に窓や扉の施錠を行ったり、外出警戒モードに移行することができる。
【００３４】
尚、玄関の扉が施錠されたときに、自動的に窓や扉の施錠を行ったり、外出警戒モードに移行したりすることが考えられるが、玄関の扉を施錠しても人が居る場合があり、留守とは限らない。本願発明は、使用者が留守の操作を行ったときに窓や扉の施錠をするので、玄関の施錠に基づくよりも、人が居ない可能性が高い。
【図面の簡単な説明】
【図１】本発明のセキュリティシステムの要部を示す図である。
【図２】本発明のセキュリティシステムの電話装置の要部を示すブロック図である。
【図３】セキュリティシステムの電気錠の要部を示すブロック図である。
【図４】セキュリティシステムの電話装置の動作を示すフローチャートである。
【図５】セキュリティシステムの電気錠の動作を示すフローチャートである。
【図６】外出警戒モードのときの動作を示す図である。
【図７】他の実施例のセキュリティシステムの電話装置の動作を示すフローチャートである。
【符号の説明】
１  センサ
２  電気錠
３  施錠検出部
４  開閉検出部
５  電話装置
１８  制御部（電話装置）
１９  操作部（電話装置）
【図１】
2004332455.tif 000003
【図２】
2004332455.tif 000004
【図３】
2004332455.tif 000005
【図４】
2004332455.tif 000006
【図５】
2004332455.tif 000007
【図６】
2004332455.tif 000008
【図７】
2004332455.tif 000009